(57)【要約】【課題】電子番組表において、所望の番組を選ぶまでのリモコンキー操作の回数を大幅に削減することが可能な電子番組表表示装置及び電子番組表示方法を提供する。【解決手段】電子番組表表示装置は、リモコンからの数字キー入力を受信するリモコン信号受信部と、番組情報を蓄積する番組情報蓄積部と、番組情報から電子番組表を作成すると共に、電子番組表をリモコンの数字キーに対応する表示エリアに分割する電子番組表作成部と、作成された電子番組表及び表示エリアを表示する電子番組表表示部と、を備え、電子番組表作成部は、リモコン信号受信部が所定の数字キー入力を受信した場合に、所定の数字キーに対応する表示エリアを拡大して新たに電子番組表を作成するとともに新たに作成された電子番組表に含まれる番組情報の個数及び時刻情報に応じて新たに表示エリアを分割する、ことを特徴とする。【選択図】図１
2012054641.tif 000002
【特許請求の範囲】
【請求項１】
リモコンからの数字キー入力を受信するリモコン信号受信部と、
番組情報を蓄積する番組情報蓄積部と、
前記番組情報から電子番組表を作成すると共に、前記電子番組表を前記リモコンの前記数字キーに対応する表示エリアに分割する電子番組表作成部と、
作成された前記電子番組表及び前記表示エリアを表示する電子番組表表示部と、
を備え、
前記電子番組表作成部は、前記リモコン信号受信部が所定の数字キー入力を受信した場合に、前記所定の数字キーに対応する表示エリアを拡大して新たに電子番組表を作成するとともに前記新たに作成された電子番組表に含まれる番組情報の個数及び時刻情報に応じて新たに表示エリアを分割する、ことを特徴とする電子番組表表示装置。
【請求項２】
前記電子番組表作成部は、前記新たに作成された電子番組表に含まれる番組情報の個数が所定数より少ない場合は番組情報夫々に表示エリアを割り当て、前記新たに作成された電子番組表に含まれる番組情報の個数が所定数以上の場合は、時刻情報に応じて所定の放送時間以下の番組情報をまとめて１つの表示エリアに割り当てる、ことを特徴とする請求項１に記載の電子番組表表示装置。
【請求項３】
リモコンからの数字キー入力を受信するリモコン信号受信ステップと、
番組情報を蓄積する番組情報蓄積ステップと、
前記番組情報から電子番組表を作成すると共に、前記電子番組表を前記リモコンの前記数字キーに対応する表示エリアに分割する電子番組表作成ステップと、
作成された前記電子番組表及び前記表示エリアを表示する電子番組表表示ステップと、
を有し、
前記電子番組表作成ステップは、前記リモコン信号受信ステップが所定の数字キー入力を受信した場合に、前記所定の数字キーに対応する表示エリアを拡大して新たに電子番組表を作成するとともに前記新たに作成された電子番組表に含まれる番組情報の個数及び時刻情報に応じて新たに表示エリアを分割する、ことを特徴とする電子番組表表示方法。
【請求項４】
前記電子番組表作成ステップは、前記新たに作成された電子番組表に含まれる番組情報の個数が所定数より少ない場合は番組情報夫々に表示エリアを割り当て、前記新たに作成された電子番組表に含まれる番組情報の個数が所定数以上の場合は、時刻情報に応じて所定の放送時間以下の番組情報をまとめて１つの表示エリアに割り当てる、ことを特徴とする請求項３に記載の電子番組表表示方法。
【発明の詳細な説明】
【技術分野】
【０００１】
本発明は電子番組表表示装置および電子番組表表示方法に関し、更に詳しくは、デジタルテレビ等の電子番組表を表示可能な装置において、電子番組表上で容易に番組を選択することが可能な電子番組表表示装置及び電子番組表表示方法に関する。
【背景技術】
【０００２】
近年、デジタルテレビは、大画面化、高精細化が進み、電子番組表の表示においても、かなり細かい字でも分かるぐらいに表示できるようになり、全画面表示できるエリアは年々広がっている。さらに、チャンネル数の増加も電子番組表の情報量増加に拍車をかけ、所望の番組を電子番組表で探すのが難しくなってきている。
【０００３】
一方、従来の操作性改善技術として、電子番組表を３×３の配列で表示し、リモコンの１から９の数字キーを使いて電子番組表における番組選択操作を簡略化した技術がある（例えば、特許文献１参照）。電子番組表における番組選択操作では、電子番組表上の１つの番組をフォーカスし、そのフォーカスを１から９の数字キーにより移動する。
【先行技術文献】
【特許文献】
【０００４】
【特許文献１】国際公開第２００５／０２２９４４号
【発明の概要】
【発明が解決しようとする課題】
【０００５】
しかしながら、上記特許文献１による電子番組表における番組選択操作では、１から９の数字キーを使うことでリモコン操作は簡略化できたとしても、莫大な番組の中から所望の番組を選ぶための操作性という観点では、一般的な十字カーソルキーを使う場合と同じで困難であるという問題があった。
【０００６】
本発明は、上記従来の課題を解決するもので、電子番組表において、所望の番組を選ぶまでのリモコンキー操作の回数を大幅に削減することが可能な電子番組表表示装置及び電子番組表示方法を提供することを目的とする。
【課題を解決するための手段】
【０００７】
本発明の請求項１にかかる電子番組表表示装置は、リモコンからの数字キー入力を受信するリモコン信号受信部と、番組情報を蓄積する番組情報蓄積部と、番組情報から電子番組表を作成すると共に、電子番組表をリモコンの数字キーに対応する表示エリアに分割する電子番組表作成部と、作成された電子番組表及び表示エリアを表示する電子番組表表示部と、を備え、電子番組表作成部は、リモコン信号受信部が所定の数字キー入力を受信した場合に、所定の数字キーに対応する表示エリアを拡大して新たに電子番組表を作成するとともに新たに作成された電子番組表に含まれる番組情報の個数及び時刻情報に応じて新たに表示エリアを分割する、ことを特徴とする。
【０００８】
また、本発明の請求項２にかかる電子番組表表示装置は、本発明の請求項１にかかる電子番組表表示装置の構成において、電子番組表作成部は、新たに作成された電子番組表に含まれる番組情報の個数が所定数より少ない場合は番組情報夫々に表示エリアを割り当て、新たに作成された電子番組表に含まれる番組情報の個数が所定数以上の場合は、時刻情報に応じて所定の放送時間以下の番組情報をまとめて１つの表示エリアに割り当てる、ことを特徴とする。
【０００９】
また、本発明の請求項３にかかる電子番組表表示方法は、リモコンからの数字キー入力を受信するリモコン信号受信ステップと、番組情報を蓄積する番組情報蓄積ステップと、番組情報から電子番組表を作成すると共に、電子番組表をリモコンの数字キーに対応する表示エリアに分割する電子番組表作成ステップと、作成された電子番組表及び表示エリアを表示する電子番組表表示ステップと、を有し、電子番組表作成ステップは、リモコン信号受信ステップが所定の数字キー入力を受信した場合に、所定の数字キーに対応する表示エリアを拡大して新たに電子番組表を作成するとともに新たに作成された電子番組表に含まれる番組情報の個数及び時刻情報に応じて新たに表示エリアを分割する、ことを特徴とする。
【００１０】
また、本発明の請求項４にかかる電子番組表表示方法は、本発明の請求項３にかかる電子番組表表示方法の構成において、電子番組表作成ステップは、新たに作成された電子番組表に含まれる番組情報の個数が所定数より少ない場合は番組情報夫々に表示エリアを割り当て、新たに作成された電子番組表に含まれる番組情報の個数が所定数以上の場合は、時刻情報に応じて所定の放送時間以下の番組情報をまとめて１つの表示エリアに割り当てる、ことを特徴とする。
【発明の効果】
【００１１】
本発明の電子番組表表示装置及び電子番組表表示方法によれば、電子番組表において、莫大な番組の中から所望の番組を選ぶのに必要なキー操作の回数が大幅に減少されるため、ユーザの操作性が向上する。
【図面の簡単な説明】
【００１２】
【図１】本発明の実施の形態１における電子番組表表示装置の構成を示すブロック図
【図２】本発明の実施の形態１における電子番組表のイメージと、表示エリア絞り込みの例を示す図
【図３】本発明の実施の形態１における電子番組表のイメージと、表示エリア絞り込みの例を示す図
【図４】本発明の実施の形態１における電子番組表のイメージと、表示エリア絞り込みの例を示す図
【図５】本発明の実施の形態１における電子番組表のイメージと、表示エリア絞り込みの例を示す図
【図６】本発明の実施の形態１における電子番組表のイメージと、表示エリア絞り込みの例を示す図
【図７】本発明の実施の形態１における電子番組表における表示エリア割り当て処理を示すフローチャート
【図８】本発明の実施の形態１における電子番組表のイメージと、表示エリア絞り込みの例を示す図
【発明を実施するための形態】
【００１３】
以下本発明を実施するための最良の形態について、図面を参照しながら説明する。
【００１４】
（実施の形態１）
図１は、本発明の実施の形態１における電子番組表表示装置の構成を示すブロック図である。電子番組表表示装置は、リモコン信号受信部１０２と、番組情報受信部１０３と、番組情報蓄積部１０４と、番組情報解析部１０５と、電子番組表作成部１０６と、電子番組表表示部１０７から構成され、リモコン１０１からのリモコン信号によって電子番組表を操作する。
【００１５】
図１において、番組情報受信部１０３は放送経由または通信経由で番組情報を受信し、受信された番組情報は番組情報蓄積部１０４に保存されている。リモコン信号受信部１０２は、リモコン１０１からリモコン信号として電子番組表表示要求を受信した場合、電子番組表表示要求を電子番組表作成部１０６に出力する。電子番組表作成部１０６は、電子番組表表示要求が入力されると、番組情報解析部１０５に対して番組情報取得要求を出力する。
【００１６】
番組情報解析部１０５は、番組情報取得要求が入力されると、番組情報蓄積部１０４から番組情報を取り出し、表示すべき範囲の番組情報を解析する。そして、解析した結果を電子番組表作成部１０６へ出力する。電子番組表作成部１０６は、番組情報解析部１０５から入力された解析された番組情報に基づいて電子番組表を作成し、電子番組表表示部１０７に出力する。電子番組表表示部１０７は、電子番組表作成部１０６から入力された電子番組表を、ディスプレイ等の画面に表示する。
【００１７】
ここで、電子番組表は、電子番組表作成部１０６において、１から９の数字キーに対応した３×３の表示エリアに分割して作成されており、リモコン１０１は、３×３の表示エリアに表示された１つまたは複数の番組を選択するための３×３に配列された１から９の数字キーを有する。ユーザが１つの表示エリアを対応する数字キーにより選択すると、リモコン信号受信部１０２はリモコン信号として特定表示エリア選択要求を受信する。電子番組表作成部１０６はリモコン信号受信部１０２から特定表示エリア選択要求が入力された場合、特定表示エリア選択要求が示す特定された表示エリアを拡大した新たな電子番組表を作成し、電子番組表表示部１０７に表示させる。
【００１８】
次に、３×３の表示エリアに分割された電子番組表のイメージと、どのように表示エリアを絞り込んでいくかの例を図２から図６を用いて詳述する。図２から図６の処理は電子番組表作成部１０６が実行する。
【００１９】
図２では、縦軸に日付を、横軸に放送種別（地上波放送か衛星放送かケーブル放送かの種別）を、３×３の表示エリアに分けて表示している。例えば、「明日」の「地上波放送」の場合は、数字キー「１」で選択し、「３／１９」の「ケーブル放送」の場合は、数字キー「６」で選択する。図２では、表示エリアは半透明に表示して、３×３に配列された１から９の数字キーとの対応が分かりやすいようにしている。ここで、ユーザが数字キー５を選択したとすると、「３／１７から３／１９」の「衛星放送」を示す３×３の真ん中の表示エリアが拡大されて、図３のように表示される。
【００２０】
図３では、縦軸に選択された所定範囲の日付の時間帯（３／１７、３／１８、３／１９の「あさ」、「ひる」、「よる」）を、横軸にデータ種別（衛星放送の中でも、テレビ放送かラジオ放送かデータ放送かの種別）を、３×３の表示エリアに分けて表示している。ここで、ユーザが数字キー「１」を選択したとすると、「３／１７」のテレビ放送（衛星テレビ）を示す、３×３の左上の表示エリアが拡大されて、図４のように表示される。
図４の例では、縦軸に選択された日付の時間帯（３／１７の「あさ」、「ひる」、「よる」）を、横軸にチャンネル範囲（衛星放送のチャンネルの範囲を、「１から９チャンネル」か、「１０から１８チャンネル」か、「１９から２７チャンネル」かに分割）を、３×３の表示エリアに分けて表示している。ここで、ユーザが数字キー「７」を選択したとすると、「３／１７」の「よる」の「１から９チャンネル」を示す、３×３の左下のエリアが拡大されて、図５のように表示される。
図５では、縦軸に選択された日付の時間帯（３／１７の１９時から３時までの時間）を、横軸に選択されたチャンネル範囲（Ａ放送からＩ放送まで９個のチャンネル）を、３×３の表示エリアに分けて表示している。このように図２から図５までには、数字キーを３回押すだけで遷移でき、ユーザは簡単に選択する表示エリアを絞りこむことができる。
【００２１】
図６は、図５においてユーザが数字キー「３」を選択したときに遷移した電子番組表の図である。図６では、縦軸に選択された日付の３時間分の時間帯（３／１７の１９時から２２時までの時間）を、横軸に選択された３チャンネル（Ｇ放送、Ｈ放送、Ｉ放送）を表示している。まず、一番左の列のＧ放送から見ると、１９時から２２時までは、３つの番組がある。番組の数が３つ以内の場合は、番組１つ１つに表示エリアを割り当てる。この場合、数字キー「１」の表示エリアに１９時から１９時３０分までのニュース番組「ニュース１９」を割り当て、数字キー「４」の表示エリアに１９時３０分から２０時までの特集番組「特集」を割り当て、数字キー「７」の表示エリアに２０時から２２時までのドラマ番組「ドラマスペシャル」を割り当てている。これにより、各エリアの大きさは番組の放送時間により決定され、次の数字キー選択で、所望の番組を選択でき、録画予約の設定などを行うことができる。
【００２２】
次に真ん中の列のＨ放送を見ると、１９時から２２時までは、６つの番組がある。番組の数が３つ以内でないため、番組１つ１つに表示エリアを割り当てることができない。図６では、１９時から２０時までの番組「クイズ」を、数字キー「２」の表示エリアに割り当て、２０時から２１時までの番組「スペシャル対談」を、数字キー「５」の表示エリアに割り当て、２１時から２２時までの４つの番組「英語講座」、「中国語講座」、「フランス語講座」、「ドイツ語講座」を数字キー「８」の表示エリアに割り当てている。どのように表示エリアを割り当てるかは、各番組の放送時間と番組の数により割り当てアルゴリズムを用いて自動的に決定する。
【００２３】
以下、割り当てアルゴリズムを、図７の表示エリア割り当て処理を示すフローチャートを用いて説明する。表示エリア割り当て処理では、電子番組表の表示範囲は３時間分の時間帯であって３チャンネル分の番組情報であることが前提であって、電子番組表作成部１０６は、チャンネル毎に下記の表示エリア割り当て処理を実行する。まず、電子番組表作成部１０６は、番組数が４つ以上かを判断する（ステップＳ７０１）。番組情報が３つ以下の場合（ステップＳ７０１で「Ｎｏ」）、番組１つ１つに表示エリアを割り当てる（ステップＳ７０９）。番組数が４つ以上であると判断した場合（ステップＳ７０１で「Ｙｅｓ」）、Ｎを初期化して、先頭の番組の番組情報を取り出し（ステップＳ７０２）、取り出した番組情報の放送時間をＮに加算する（ステップＳ７０３）。Ｎが１時間以上の場合は（ステップＳ７０４で「Ｙｅｓ」）、番組に表示エリアを割り当てるとともに、再びＮを初期化する（ステップＳ７０５）。そして、次の番組がある場合は（ステップＳ７０６で「Ｙｅｓ」）次の番組の番組情報を取得し（ステップＳ７０７）、ステップＳ７０３からステップＳ７０５の処理を実行する。
【００２４】
一方、Ｎが１時間以上でない場合は（ステップＳ７０４で「Ｎｏ」）、Ｎは初期化せずまた表示エリアも割り当てずに次の番組の有無判定へ移行する（ステップＳ７０６）。そして、次の番組がなくなるまで（ステップＳ７０６で「Ｎｏ」）上記の繰り返し、次の番組がなくなったら（ステップＳ７０６で「Ｎｏ」）、表示エリアが割り当てられていない番組群がある場合は未割り当ての表示エリアを割り当てて（ステップＳ７０８）、表示エリア割り当て処理を終了する。
【００２５】
図６の右の列のＩ放送を見ると、１９時から２２時までは、２つの番組がある。番組の数が３つ以内であるため、番組１つ１つにエリアを割り当てることができる。１９時から２１時５４分までの野球番組「プロ野球」を、数字キー「３」に割り当て、２１時５４分から２２時までのニュース番組「ニュース」を、数字キー「６」に割り当てている。図６では、数字キー「９」は割り当てていないが、数字キー「３」「６」を野球番組に、数字キー「９」をニュース番組に割り当ててもよい。
【００２６】
図８は、図６においてユーザが数字キー「８」を選択したときに遷移した電子番組表の図である。図８において、３／１７のＨ放送の２１時の時間帯は４つの番組があり、上から「１」、「２」、「３」、「４」の数字キーに割り当てており、半透明の表示エリアを示す位置をずらすことで、数字キーとの対応を分かりやすくしている。図８では、４番組なので、４つの数字キーしか割り当てなかったが、残りの５つのキーをどれか１つの番組に割り当ててもよい。
【００２７】
なお、本実施の形態では、電子番組表において、所望の番組を選ぶまでのリモコンキー操作の回数を大幅に削減することが可能な電子番組表表示装置及び電子番組表示方法について述べたが、電子番組表に限らず、例えば、ウェブブラウザや電子書籍等において膨大な情報を表示しその中からリモコンキー操作によって所望の情報を特定して一部拡大して閲覧するような状況においても同様の構成により実現可能である。
【産業上の利用可能性】
【００２８】
本発明にかかる電子番組表表示装置及び電子番組表表示方法は、莫大な情報の中から所望の情報を選ぶのに必要なキー操作の回数が大幅に減少されるため、リモコンで電子番組表、ウェブブラウザ、電子書籍等を操作可能な全てのＡＶ機器において有用である。
【符号の説明】
【００２９】
１０１    リモコン
１０２    リモコン信号受信部
１０３    番組情報受信部
１０４    番組情報蓄積部
１０５    番組情報解析部
１０６    電子番組表作成部
１０７    電子番組表表示部
【図１】
2012054641.tif 000003
【図２】
2012054641.tif 000004
【図３】
2012054641.tif 000005
【図４】
2012054641.tif 000006
【図５】
2012054641.tif 000007
【図６】
2012054641.tif 000008
【図７】
2012054641.tif 000009
【図８】
2012054641.tif 000010